(57)【要約】【課題】生地の風合いをより感じることができる見本帳を提供すること。【解決手段】生地見本２０，２１をループ状にして表紙２および裏表紙４に貼り付ける。これにより、生地の表面を撫でたり、生地を指で挟んだ状態で触れたり、曲げた状態の生地に触れることができるため、生地の風合いを総合的に判断することができる。なお、背表紙６の幅寸法ｗ1を、生地見本２０，２１の厚みの２倍よりも大きく、ループ部が円形の場合の外径未満に設定するため、見本帳１を閉じたときにループ部が圧迫されて潰れることを良好に抑制できる。これにより、生地の風合いが損なわれることを良好に抑制できる。【選択図】図２
0003232103.tif 000002
【実用新案登録請求の範囲】
【請求項１】
表紙と、
裏表紙と、
前記表紙および前記裏表紙の少なくとも一方の内側に固定される固定部と、該固定部から一体に延在すると共に自由端を構成する環状部と、を有する少なくとも１つの生地見本と、
前記生地見本の厚みの２倍よりも大きく、前記環状部が円形を有する場合の該環状部の直径未満の幅寸法を有し、幅方向の一端部に前記表紙が接続されると共に前記幅方向の他端部に前記裏表紙が接続された背表紙と、
を備える見本帳。
【請求項２】
前記生地見本は、前記表紙の内側に固定される前記固定部としての第１固定部と前記第１固定部から一体に延在する前記環状部としての第１環状部とを有する第１生地見本と、前記裏表紙の内側に固定される前記固定部としての第２固定部と前記第２固定部から一体に延在する前記環状部としての第２環状部とを有する第２生地見本と、を有しており、
前記背表紙は、前記第１および第２生地見本の厚みの２倍の和よりも大きく、前記第１および第２環状部が円形を有する場合の該第１および第２環状部の外径の和未満の幅寸法を有している
請求項１に記載の見本帳。
【請求項３】
前記生地見本は、少なくとも一部が互いにオーバーラップした状態で複数配置されている
請求項１または２に記載の見本帳。
【請求項４】
前記生地見本は、少なくとも前記固定部が他の前記生地見本の前記環状部と、前記表紙および／または前記裏表紙と、の間に配置されると共に、前記環状部の延在方向に沿って一直線状に配置される
請求項３に記載の見本帳。
【請求項５】
前記表紙と前記裏表紙との間に配置可能な中折表紙と、前記表紙の前記背表紙が接続された端部とは異なる端部または前記裏表紙の前記背表紙が接続された端部とは異なる端部に前記中折表紙を接続する腹表紙と、をさらに備えており、
前記腹表紙は、前記生地見本の厚みの２倍よりも大きく、前記環状部が円形を有する場合の該環状部の外径未満の幅寸法を有している
請求項１ないし４のいずれか１項に記載の見本帳。
【請求項６】
表紙と、
裏表紙と、
前記表紙が配置された側を向く第１面と前記裏表紙が配置された側を向く第２面とを有し、前記表紙および前記裏表紙の間に配置される少なくとも１枚の台紙と、
少なくとも前記第１面および／または前記第２面に固定される第３および／または第４固定部と、該第３および／または第４固定部から一体に延在すると共に自由端を構成する第３および／または第４環状部と、を有する少なくとも一つの第３および／または第４生地見本を含む生地見本と、
前記表紙の内側と前記第１面との間の距離が、前記第３生地見本の厚みの２倍よりも大きく、前記第３環状部が円形を有する場合の該第３環状部の外径未満、および／または、前記裏表紙の内側と前記第２面との間の距離が、前記第４生地見本の厚みの２倍よりも大きく、前記第４環状部が円形を有する場合の該第４環状部の外径未満、となるような幅寸法を有すると共に、幅方向の一端部に前記表紙が接続され、前記幅方向の他端部に前記裏表紙が接続され、該表紙および該裏表紙の間に前記台紙が接続された背表紙と、
を備える見本帳。
【請求項７】
前記第３および／または第４生地見本は、少なくとも一部が互いにオーバーラップした状態で複数配置されている
請求項６に記載の見本帳。
【請求項８】
前記第３および／または第４生地見本は、少なくとも前記第３および／または第４固定部が、他の前記第３および／または第４環状部と、前記表紙および／または前記裏表紙と、の間に配置されると共に、前記第３および／または第４環状部の延在方向に沿って一直線状に配置される
請求項７に記載の見本帳。
【請求項９】
前記生地見本は、前記表紙の内側および／または前記裏表紙の内側に固定される第５および／または第６固定部と、該第５および／または第６固定部から一体に延在する第５および／または第６環状部と、を有する第５生地見本および／または第６生地見本をさらに含み、
前記背表紙は、前記表紙の内側と前記第１面との間の距離が、前記第３および第５生地見本の厚みの２倍の和よりも大きく、前記第３および第５環状部が円形を有する場合の該第３および第５環状部の外径の和未満、および／または、前記裏表紙の内側と前記第２面との距離が、前記第４および第６生地見本の厚みの２倍の和よりも大きく、前記第４および第６環状部が円形を有する場合の該第４および第６環状部の外径の和未満、となるような幅寸法を有している
請求項６ないし８のいずれか１項に記載の見本帳。
【請求項１０】
前記台紙は、前記表紙寄りに配置される第１台紙と、前記裏表紙寄りに配置される第２台紙と、を有しており、
前記第１および第２台紙は、前記第１台紙の前記第２面と前記第２台紙の前記第１面とが対向するよう配置されており、
前記生地見本は、少なくとも一つの第７生地見本と、少なくとも１つの第８生地見本と、をさらに含んでおり、
前記第３生地見本は、前記第１台紙の前記第１面に固定され、
前記第４生地見本は、前記第２台紙の前記第２面に固定され、
前記第７生地見本は、前記第１台紙の前記第２面に固定される第７固定部と、該第７固定部から一体に延在すると共に自由端を構成する第７環状部と、を有しており、
前記第８生地見本は、前記第２台紙の前記第１面に固定される第８固定部と、該第８固定部から一体に延在すると共に自由端を構成する第８環状部と、を有しており
前記背表紙は、前記第１台紙の前記第２面と前記第２台紙の前記第１面との間の距離が、前記第７および第８生地見本の厚みの２倍の和よりも大きく、前記第７および第８環状部が円形を有する場合の該第７および第８環状部の外径の和未満となるような幅寸法を有している
請求項６ないし９のいずれか１項に記載の見本帳。
【考案の詳細な説明】
【技術分野】
【０００１】
本考案は、複数の生地見本が貼り付けられた見本帳に関する。
【背景技術】
【０００２】
実開昭５９−１１６９６９号公報（特許文献１）には、実際に使用される生地を所定の寸法に切断した生地見本が、所定の間隔をもって貼り付けられた台紙を備える見本帳が記載されている。当該見本帳は、中央を打ち抜いた両面テープを用いて生地見本を台紙に貼り付けている。
【０００３】
上述した公報によれば、当該見本帳は、生地見本の中央部分が台紙から浮いているため、生地見本の風合いを損なうことがないとしている。
【先行技術文献】
【特許文献】
【０００４】
【特許文献１】実開昭５９−１１６９６９号公報
【考案の概要】
【考案が解決しようとする課題】
【０００５】
ところで、生地の風合いは、生地の表面を撫でたときの手触りや、生地を指で挟んだ状態での手触り、生地を曲げた状態での手触りなどによって、総合的に判断されるものである。しかしながら、上述した公報に記載の見本帳は、生地見本の表面を撫でたときの手触りで判断するのみであり、生地の風合いを感じるという点において、なお改良の余地がある。
【０００６】
本考案は、上記に鑑みてなされたものであり、生地の風合いをより感じることができる見本帳を提供することを目的の１つとする。
【課題を解決するための手段】
【０００７】
本考案の見本帳および見本帳は、上述の目的を達成するために以下の手段を採った。
【０００８】
本考案に係る第１の見本帳の好ましい形態によれば、表紙と、裏表紙と、少なくとも１つの生地見本と、幅方向の一端部に表紙が接続されると共に幅方向の他端部に裏表紙が接続された背表紙と、を備えている。生地見本は、表紙および裏表紙の少なくとも一方の内側に固定される固定部と、当該固定部から一体に延在すると共に自由端を構成する環状部と、を有している。背表紙は、生地見本の厚みの２倍よりも大きく、環状部が円形を有する場合の当該環状部の外径未満の幅寸法を有している。
【０００９】
本考案によれば、生地見本が、固定部と、環状部と、を有する構成、即ち、ループ状を有しているため、生地の表面を撫でたり、生地を指で挟んだ状態で触れたり、曲げた状態の生地に触れることができるため、生地の風合いを総合的に判断することができる。なお、背表紙の幅寸法が、生地見本の厚みの２倍よりも大きく、環状部が円形の場合の外径未満に設定されるため、見本帳を閉じたときに環状部が圧迫されて潰れることを良好に抑制できる。これにより、生地の風合いが損なわれることを良好に抑制できる。
【００１０】
本考案に係る第１の見本帳の更なる形態によれば、生地見本は、第１生地見本と、第２生地見本と、を有している。第１生地見本は、表紙の内側に固定される固定部としての第１固定部と、第１固定部から一体に延在する環状部としての第１環状部と、を有している。第２生地見本は、裏表紙の内側に固定される固定部としての第２固定部と、第２固定部から一体に延在する環状部としての第２環状部と、を有している。そして、背表紙は、第１および第２生地見本の厚みの２倍の和よりも大きく、第１および第２環状部が円形を有する場合の当該第１および第２環状部の外径の和未満の幅寸法を有している。
【００１１】
本形態によれば、見本帳を閉じたときに互いに対向する表紙と裏表紙の内側の面に、第１および第２生地見本が固定された場合であっても、第１および第２環状部が互いに圧迫し合って潰れることを良好に抑制できる。これにより、生地の風合いが損なわれることを良好に抑制できる。
【００１２】
本考案に係る第１の見本帳の更なる形態によれば、生地見本は、少なくとも一部が互いにオーバーラップした状態で複数配置されている。
【００１３】
本形態によれば、見本帳における生地見本の配置スペースの省スペース化を図ることができる。これにより、同じ大きさの見本帳であれば、より多くの生地見本を掲載することができるし、同じ量の生地見本であれば、見本帳のコンパクト化を図ることができる。
【００１４】
本考案に係る第１の見本帳の更なる形態によれば、生地見本は、少なくとも固定部が他の生地見本の環状部と表紙および／または裏表紙との間に配置されると共に、環状部の延在方向に沿って一直線状に配置される。
【００１５】
本形態によれば、効率的に省スペース化を図ることができる。
【００１６】
本考案に係る第１の見本帳の更なる形態によれば、中折表と、腹表紙と、をさらに備えている。中折表は、表紙と裏表紙との間に配置可能である。腹表紙は、表紙の背表紙が接続された端部とは異なる端部または裏表紙の背表紙が接続された端部とは異なる端部に中折表紙を接続する。そして、腹表紙は、生地見本の厚みの２倍よりも大きく、環状部が円形を有する場合の当該環状部の外径未満の幅寸法を有している。
【００１７】
本形態によれば、中折表紙と腹表紙とを備える態様の見本帳において、中折表紙が表紙と裏表紙との間に配置された状態で、見本帳が閉じたられたときであっても、環状部が中折表紙に圧迫されて潰されることを良好に抑制できる。これにより、生地の風合いが損なわれることを良好に抑制できる。
【００１８】
本考案に係る第２の見本帳の好ましい形態によれば、表紙と、裏表紙と、当該表紙および裏表紙の間に配置される少なくとも１枚の台紙と、少なくとも一つの第３および／または第４生地見本を含む生地見本と、背表紙と、を備えている。台紙は、表紙が配置された側を向く第１面と裏表紙が配置された側を向く第２面とを有している。第３および／または第４生地見本は、少なくとも第１面および／または第２面に固定される第３および／または第４固定部と、当該第３および／または第４固定部から一体に延在すると共に自由端を構成する第３および／または第４環状部と、を有している。そして、背表紙は、表紙の内側と第１面との間の距離が、第３生地見本の厚みの２倍よりも大きく、第３環状部が円形を有する場合の当該第３環状部の外径未満、および／または、裏表紙の内側と第２面との間の距離が、第４生地見本の厚みの２倍よりも大きく、第４環状部が円形を有する場合の当該第４環状部の外径未満、となるような幅寸法を有している。また、背表紙は、幅方向の一端部に表紙が接続され、幅方向の他端部に裏表紙が接続され、当該表紙および裏表紙の間に台紙が接続されている。
【００１９】
本考案によれば、第３生地見本や第４生地見本が、第３固定部や第４固定部と、第３環状部や第４環状部と、を有する構成、即ち、ループ状を有しているため、生地の表面を撫でたり、生地を指で挟んだ状態で触れたり、曲げた状態の生地に触れることができるため、生地の風合いを総合的に判断することができる。なお、表紙の内側と第１面との間の距離および／または裏表紙の内側と第２面との距離が、生地見本の厚みの２倍よりも大きく、第３環状部および／または第４環状部が円形を有する場合の当該第３環状部および／または第４環状部の外径未満となるように背表紙の幅寸法が設定されるため、見本帳を閉じたときに第３環状部や第４環状部が圧迫されて潰れることを良好に抑制することができる。これにより、生地の風合いが損なわれることを良好に抑制できる。
【００２０】
本考案に係る第２の見本帳の更なる形態によれば、第３および／または第４生地見本は、少なくとも一部が互いにオーバーラップした状態で複数配置されている。
【００２１】
本形態によれば、見本帳における第３生地見本や第４生地見本の配置スペースの省スペース化を図ることができる。これにより、同じ大きさの見本帳であれば、より多くの生地見本を掲載することができるし、同じ量の生地見本であれば、見本帳のコンパクト化を図ることができる。
【００２２】
本考案に係る第２の見本帳の更なる形態によれば、第３および／または第４生地見本は、少なくとも第３および／または第４固定部が、他の第３および／または第４環状部と、表紙および／または裏表紙と、の間に配置されると共に、第３および／または第４環状部の延在方向に沿って一直線状に配置される。
【００２３】
本形態によれば、効率的に省スペース化を図ることができる。
【００２４】
本考案に係る第２の見本帳の更なる形態によれば、生地見本は、表紙の内側および／または裏表紙の内側に固定される第５および／または第６固定部と、当該第５および／または第６固定部から一体に延在する第５および／または第６環状部と、を有する第５生地見本および／または第６生地見本をさらに含んでいる。そして、背表紙は、第３および第５生地見本，および／または，第４および第６生地見本の厚みの２倍の和よりも大きく、第３および第５環状部が円形を有する場合の当該第３および第５環状部，および／または，第４および第６環状部が円形を有する場合の当該第４および第６環状部の外径の和未満の幅寸法を有している。
【００２５】
本形態によれば、見本帳を閉じたときに互いに対向する表紙の内側の面と台紙の第１面、あるいは、裏表紙の内側の面と台紙の第２面に、生地見本が固定された場合であっても、環状部同士が互いに圧迫し合って潰れることを良好に抑制できる。これにより、生地の風合いが損なわれることを良好に抑制できる。
【００２６】
本考案に係る第２の見本帳の更なる形態によれば、台紙は、表紙寄りに配置される第１台紙と、裏表紙寄りに配置される第２台紙と、を有している。第１および第２台紙は、第１台紙の第２面と第２台紙の第１面とが対向するように配置されている。生地見本は、少なくとも一つの第７生地見本と、少なくとも１つの第８生地見本と、をさらに含んでいる。第３生地見本は、第１台紙の第１面に固定され、第４生地見本は、第２台紙の第２面に固定される。第７生地見本は、第１台紙の第２面に固定される第７固定部と、当該第７固定部から一体に延在すると共に自由端を構成する第７環状部と、を有している。第８生地見本は、第２台紙の第１面に固定される第８固定部と、当該第８固定部から一体に延在すると共に自由端を構成する第８環状部と、を有している。そして、背表紙は、第１台紙の第２面と第２台紙の第１面との間の距離が、第７および第８生地見本の厚みの２倍の和よりも大きく、第７および第８環状部が円形を有する場合の当該第７および第８環状部の外径の和未満となるような幅寸法を有している。
【００２７】
本形態によれば、見本帳を閉じたときに互いに対向する第１台紙の第２面と第２台紙の第１面に、生地見本が固定された場合であっても、環状部同士が互いに圧迫し合って潰れることを良好に抑制できる。これにより、生地の風合いが損なわれることを良好に抑制できる。
【考案の効果】
【００２８】
本考案によれば、生地の風合いをより感じることができる見本帳を提供することができる。
【図面の簡単な説明】
【００２９】
【図１】本考案の実施の形態に係る見本帳１の構成の概略を示す斜視図である。
【図２】本考案の実施の形態に係る見本帳１を開いた状態を示す説明図である。
【図３】生地見本２０，２１を表紙２および裏表紙４に貼り付けた様子を、図２のＡ−Ａ断面に相当する断面で示す説明図である。
【図４】一、二列目の生地見本２０，２１のループ部２０ｃ，２１ｃが潰れたときの様子を、図１のＢ−Ｂ断面で見た説明図である。
【図５】一、二列目の生地見本２０，２１のループ部２０ｃ，２１ｃが円形となったときの様子を、図１のＢ−Ｂ断面で見た説明図である。
【図６】生地見本２０，２１のループ部２０ｃ，２１ｃが円形となったときの様子を、図２のＡ−Ａ断面で見た説明図である。
【図７】図１のＣ−Ｃ断面を示す断面図である。
【図８】三列目の生地見本２１のループ部２１ｃが潰れたときの様子を、図１のＢ−Ｂ断面で見た説明図である。
【図９】三列目の生地見本２１のループ部２１ｃが円形となったときの様子を、図１のＢ−Ｂ断面で見た説明図である。
【図１０】図１のＤ−Ｄ断面を示す断面図である。
【図１１】変形例の見本帳１００において、生地見本２２，２３のループ部２２ｃ，２３ｃが潰れたときの様子を、図１のＢ−Ｂ断面で見た説明図である。
【図１２】変形例の見本帳１００において、生地見本２２，２３のループ部２２ｃ，２３ｃが円形となったときの様子を、図１のＢ−Ｂ断面で見た説明図である。
【図１３】変形例の見本帳２００において、生地見本２０，２１，２２，２３のループ部２０ｃ，２１ｃ，２２ｃ，２３ｃが潰れたときの様子を、図１のＢ−Ｂ断面で見た説明図である。
【図１４】変形例の見本帳２００において、生地見本２０，２１，２２，２３のループ部２０ｃ，２１ｃ，２２ｃ，２３ｃが円形となったときの様子を、図１のＢ−Ｂ断面で見た説明図である。
【図１５】変形例の見本帳３００において、生地見本２０，２１，２２，２３のループ部２０ｃ，２１ｃ，２２ｃ，２３ｃが潰れたときの様子を、図１のＢ−Ｂ断面で見た説明図である。
【図１６】変形例の見本帳３００において、生地見本２０，２１，２２，２３のループ部２０ｃ，２１ｃ，２２ｃ，２３ｃが円形となったときの様子を、図１のＢ−Ｂ断面で見た説明図である。
【図１７】変形例の見本帳４００の構成の概略を示す斜視図である。
【図１８】生地見本２０，２１，２２，２３の表紙２、裏表紙４、台紙１１２，３１２，３１４への貼り付け態様の別例を、図２のＡ−Ａ断面に相当する断面で示す説明図である。
【考案を実施するための形態】
【００３０】
次に、本考案を実施するための最良の形態を実施例を用いて説明する。
【実施例】
【００３１】
本考案の実施の形態に係る見本帳１は、図１に示すように、表紙２と、裏表紙４と、当該表紙２および裏表紙４を接続する背表紙６と、裏表紙４の背表紙６に接続された側とは反対側に接続された腹表紙８と、当該腹表紙８に接続された中折表紙１０と、表紙２および裏表紙４の内側面２ａ，４ａに貼り付けられた複数の生地見本２０，２０，２０，・・・，２１，２１，２１，・・・と、を備えている。見本帳１は、例えば、厚紙（ボール紙、板紙）により構成されている。
【００３２】
表紙２の内側面２ａは、図２に示すように、生地見本２０に関する情報が記載された情報スペース５０ａと、生地見本２０，２０，２０，・・・が貼り付けられた生地見本スペース５０ｂと、を有している。情報スペース５０ａは、表紙幅方向（図２の左右方向）の先端側（図２の左側）のほぼ半分を占めている。情報スペース５０ａには、例えば、生地の売り文句や値段（１ｍ当たりの単価など）、材質、サイズ、機能（表面処理など）が記載されている。
【００３３】
生地見本スペース５０ｂは、図２に示すように、表紙幅方向（図２の左右方向）の背表紙６側（図２の右側）のほぼ半分を占めている。生地見本スペース５０ｂには、生地見本２０，２０，２０，・・・が、表紙高さ方向（図２の上下方向）に沿って直線状に６つ、表紙幅方向（図２の左右方向）に二列という態様で貼り付けられている。なお、各生地見本２０，２０，２０，・・・の右側（図２における右側）には、各生地見本２０，２０，２０，・・・の固有データを特定し得る識別コードが記載されている。
【００３４】
裏表紙４の内側面４ａは、図２に示すように、全面に生地見本２１，２１，２１，・・・が貼り付けられている。生地見本２１，２１，２１，・・・は、表紙高さ方向（図２の上下方向）に沿って直線状に６つ、表紙幅方向（図２の左右方向）に三列という態様で貼り付けられている。より具体的には、裏表紙４の内側面４ａの一列目、即ち、最も背表紙６寄りに配置された生地見本２１，２１，２１，・・・は、見本帳１を閉じた状態において、表紙２の内側面２ａの二列目、即ち、最も背表紙６寄りに配置された生地見本２０，２０，２０，・・・と対向する位置に配置され、裏表紙４の内側面４ａの二列目、即ち、内側面４ａの一列目に配置された生地見本２１，２１，２１，・・・の右側（図２の右側）に隣接して配置された生地見本２１，２１，２１，・・・は、見本帳１を閉じた状態において、表紙２の内側面２ａの一列目、即ち、内側面２ａの一列目に配置された生地見本２０，２０，２０，・・・（表紙２の表紙幅方向（図２の左右方向）の先端側（図２の左側）に配置された生地見本２０，２０，２０，・・・）と対向する位置に配置され、裏表紙４の内側面４ａの三列、即ち、内側面４ａの二列目に配置された生地見本２１，２１，２１，・・・の右側（図２の右側）に隣接して配置された生地見本２１，２１，２１，・・・（最も腹表紙８寄りに配置された生地見本２１，２１，２１，・・・）は、見本帳１を閉じた状態において、表紙２の内側面２ａの情報スペース５０ａと対向する位置に配置されている。なお、各生地見本２１，２１，２１，・・・の右側（図２における右側）には、各生地見本２１，２１，２１，・・・の固有データを特定し得る識別コードが記載されている。
【００３５】
ここで、生地見本２０，２１は、実際の生地を短冊状（縦長長方形状）に切断した小片である。生地見本２０，２１は、図３に示すように、長手方向の一端部２０ａ，２１ａをそれぞれ表紙２および裏表紙４の内側面２ａ，４ａに貼り付けると共に、長手方向の他端部２０ｂ，２１ｂを一端部２０ａ，２１ａ側に折り曲げ、ループ状（輪状）にした状態で、当該他端部２０ｂ，２１ｂを一端部２０ａ，２１ａ近傍において、表紙２および裏表紙４の内側面２ａ，４ａに貼り付けることにより、表紙２および裏表紙の内側面２ａ，４ａに固定されている。即ち、生地見本２０，２１のループ部２０ｃ，２１ｃは、自由端とされている。なお、生地見本２０，２１は、、例えば、接着剤や両面テープを用いて表紙２および裏表紙４の内側面２ａ，４ａに貼り付けることができる。生地見本２０，２１は、それぞれ本考案における「第１生地見本」および「第２生地見本」に対応し、一端部２０ａおよび他端部２０ｂは、それぞれに本考案における「固定部」および「第１固定部」に対応し、一端部２１ａおよび他端部２１ｂは、それぞれに本考案における「固定部」および「第２固定部」に対応し、ループ部２０ｃは、本考案における「環状部」および「第１環状部」に対応し、ループ部２１ｃは、本考案における「環状部」および「第２環状部」に対応する実施構成の一例である。
【００３６】
生地見本２０，２０，２０，・・・，２１，２１，２１，・・・は、図３に示すように、自由端とされた当該ループ部２０ｃ，２１ｃと内側面２ａ，４ａとの間に、他の生地見本２０，２０，２０，・・・，２１，２１，２１，・・・の少なくとも一端部２０ａ，２１ａが配置される態様、即ち、少なくとも一端部２０ａ，２１ａがループ部２０ｃ，２０ｃとオーバーラップした状態で表紙高さ方向（図２の上下方向）に沿って直線状に配置される。なお、本実施の形態では、生地見本２０，２０，２０，・・・，２１，２１，２１，・・・は、同じ材質の生地を用いる構成としたが、生地見本２０，２０，２０，・・・，２１，２１，２１，・・・が異なる材質の生地であっても良いことは言うまでもない。
【００３７】
このように、少なくとも一端部２０ａ，２１ａがオーバーラップした状態で、生地見本２０，２０，２０，・・・，２１，２１，２１，・・・を表紙高さ方向（図２の上下方向）に沿って直線状に配置するため、生地見本２０，２０，２０，・・・，２１，２１，２１，・・・の貼り付けスペースの省スペース化を図ることができる。また、生地見本２０，２０，２０，・・・，２１，２１，２１，・・・がループ状を有しているため、生地の表面を撫でたり、生地を指で挟んだ状態で触れたり、曲げた状態の生地に触れることができ、これにより、生地の風合いを総合的に判断することができる。
【００３８】
背表紙６は、図４および図５に示すように、表紙２に配置された生地見本２０の厚みｔ1および裏表紙４に配置された生地見本２１の厚みｔ2それぞれの２倍（２ｔ1，２ｔ2）の和（２（ｔ1＋ｔ2））よりも大きく（図４）、表紙２に配置された生地見本２０のループ部２０ｃおよび裏表紙４に配置された生地見本２１のループ部２１ｃが円形になった場合（図６参照）の外径ｄ1，ｄ2の和（ｄ1＋ｄ2）よりも小さい（図５）幅寸法ｗ1を有している。これにより、見本帳１が閉じた状態となっても、表紙２の内側面２ａおよび裏表紙４の内側面４ａそれぞれに対向配置された生地見本２０，２０，２０，・・・，２１，２１，２１，・・・のループ部２０ｃ，２０ｃ，２０ｃ，・・・，２１ｃ，２１ｃ，２１ｃ，・・・同士が互いに圧迫し合って潰れることを良好に抑制することができる（図７参照）。この結果、生地の風合いが損なわれることを良好に抑制することができる。
【００３９】
腹表紙８は、図８および図９に示すように、裏表紙４に配置された生地見本２１の厚みｔ2の２倍（２ｔ2）よりも大きく（図８）、裏表紙４に配置された生地見本２１のループ部２１ｃが円形になった場合（図６参照）の外径ｄ2よりも小さい（図９）幅寸法ｗ2を有している。これにより、見本帳１が閉じた状態となっても、裏表紙４の内側面４ａの三列目に配置された生地見本２１，２１，２１，・・・のループ部２１ｃ，２１ｃ，２１ｃ，・・・が中折表紙１０に圧迫されて潰れることを良好に抑制することができる（図１０参照）。この結果、生地の風合いが損なわれることを良好に抑制することができる。
【００４０】
中折表紙１０は、図８ないし図１０に示すように、見本帳１が閉じた状態となったときには、表紙２と裏表紙４との間に配置される。なお、中折表紙１０の表紙幅方向（図２の左右方向）の長さＬ1は、表紙２の情報スペース５０ａの表紙幅方向（図２の左右方向）の長さＬ2未満に設定されている。これにより、中折表紙１０が表紙２の一列目に配置された生地見本２０，２０，２０，・・・に接触することを防止することができる。
【００４１】
本実施の形態では、表紙２の内側面２ａおよび裏表紙４の内側面４ａの両方に生地見本２０，２０，２０，・・・，２１，２１，２１，・・・を貼り付ける構成としたが、表紙２の内側面２ａおよび裏表紙４の内側面４ａのいずれか一方のみに生地見本２０，２０，２０，・・・，２１，２１，２１，・・・を貼り付ける構成としても良い。この場合、背表紙６の幅寸法ｗ1は、表紙２に配置された生地見本２０の厚みｔ1の２倍（２ｔ1）、または、裏表紙４に配置された生地見本２１の厚みｔ2の２倍（２ｔ2）よりも大きく、表紙２に配置された生地見本２０のループ部２０ｃが円形になった場合の外径ｄ1、または、裏表紙４に配置された生地見本２１のループ部２１ｃが円形になった場合の外径ｄ2よりも小さい値に設定すれば良い。
【００４２】
本実施の形態では、見本帳１が、腹表紙８と、中折表紙１０と、を備える構成としたが、これに限らない。例えば、腹表紙８および中折表紙１０は、有さない構成としても良い。
【００４３】
本実施の形態では、表紙２および裏表紙４に生地見本２０，２０，２０，・・・，２１，２１，２１，・・・を配置したが、これに限らない。例えば、図１１および図１２に例示する変形例の見本帳１００に示すように、台紙１１２のみに生地見本２２，２２，２２，・・・，２３，２３，２３，・・・を配置する構成としても良いし、図１３および図１４に例示する変形例の見本帳２００、および、図１５および図１６に例示する変形例の見本帳３００に示すように、表紙２および裏表紙４に加えて台紙１１２，３１２，３１４に生地見本２２，２２，２２，・・・，２３，２３，２３，・・・を配置する構成としても良い。この場合、生地見本２２，２２は、生地見本２０，２１と同じ態様、即ち、長手方向の一端部２２ａ，２３ａをそれぞれ台紙１１２，３１２，３１４の第１面１１２ａ，３１２ａ，３１４ａおよび第２面１１２ｂ，３１２ｂ，３１４ｂに貼り付けると共に、長手方向の他端部２２ｂ，２３ｂを一端部２２ａ，２３ａ側に折り曲げ、ループ状（輪状）にした状態で、当該他端部２２ｂ，２３ｂを一端部２２ａ，２３ａ近傍において、第１面１１２ａ，３１２ａ，３１４ａおよび第２面１１２ｂ，３１２ｂ，３１４ｂに貼り付けることにより、台紙１１２，３１２，３１４に固定することができる（図３参照）。
【００４４】
見本帳１００では、図１１および図１２に示すように、台紙１１２が背表紙６に接続されており、当該台紙１１２の表紙２側を向く第１面１１２ａに生地見本２２，２２，２２が配置され、台紙１１２の裏表紙４側を向く第２面１１２ｂに生地見本２３，２３，２３，・・・が配置されている。そして、背表紙６は、表紙２の内側面２ａと台紙１１２の第１面１１２ａとの間の距離ｚ1が、生地見本２２の厚みｔ3の２倍（２ｔ3）よりも大きく、当該生地見本２２のループ部２２ｃが円形になった場合の外径ｄ3よりも小さくなると共に、裏表紙４の内側面４ａと台紙１１２の第２面１１２ｂとの間の距離ｚ2が、生地見本２３の厚みｔ4の２倍（２ｔ4）よりも大きく、当該生地見本２３のループ部２３ｃが円形になった場合の外径ｄ4よりも小さくなるような幅寸法ｗ１を有している。これにより、見本帳１が閉じた状態となっても、生地見本２２，２２，２２，・・・，２３，２３，２３，・・・のループ部２２ｃ，２２ｃ，２２ｃ，・・・，２３ｃ，２３ｃ，２３ｃ，・・・が、表紙２および裏表紙４によって圧迫されて潰れることを良好に抑制することができる。生地見本２２は、本考案における「第３生地見本」に対応し、生地見本２３は、本考案における「第４生地見本」に対応する実施構成の一例である。また、一端部２２ａおよび他端部２２ｂは、本考案における「固定部」および「第３固定部」に対応し、一端部２３ａおよび他端部２３ｂは、本考案における「固定部」および「第４固定部」に対応し、ループ部２２ｃは、本考案における「環状部」および「第３環状部」に対応し、ループ部２３ｃは、本考案における「環状部」および「第４環状部」に対応する実施構成の一例である。
【００４５】
見本帳２００は、図１３および図１４に示すように、表紙２の内側面２ａおよび裏表紙４の内側面４ａに生地見本２０，２０，２０，・・・，２１，２１，２１，・・・を配置した点を除いて見本帳１００と同じ構成を有している。そして、背表紙６は、表紙２の内側面２ａと台紙１１２の第１面１１２ａとの間の距離ｚ1が、生地見本２０の厚みｔ1の２倍（２ｔ1）と生地見本２２の厚みｔ3の２倍（２ｔ3）との和よりも大きく、これら生地見本２０，２２のループ部２０ｃ，２２ｃが円形になった場合の外径ｄ1，ｄ3の和よりも小さくなると共に、裏表紙４の内側面４ａと台紙１１２の第２面１１２ｂとの間の距離ｚ2が、生地見本２１の厚みｔ2の２倍（２ｔ2）と生地見本２３の厚みｔ4の２倍（２ｔ4）との和よりも大きく、これら生地見本２１，２３のループ部２１ｃ，２３ｃが円形になった場合の外径ｄ2，ｄ4の和よりも小さくなるような幅寸法ｗ１を有している。これにより、見本帳１が閉じた状態となっても、それぞれ対向配置された生地見本２０，２０，２０，・・・，２２，２２，２２，・・・のループ部２０ｃ，２０ｃ，２０ｃ，・・・，２２ｃ，２２ｃ，２２ｃ，・・・、および、生地見本２１，２１，２１，・・・２３，２３，２３，・・・のループ部２１ｃ，２１ｃ，２１ｃ，・・・，２３ｃ，２３ｃ，２３ｃ，・・・が互いに圧迫し合って潰れることを良好に抑制することができる。生地見本２０，２１は、それぞれ本考案における「第５生地見本」、「第６生地見本」に対応し、一端部２０ａおよび他端部２０ｂは、本考案における「固定部」および「第５固定部」に対応し、一端部２１ａおよび他端部２１ｂは、本考案における「固定部」および「第６固定部」に対応し、ループ部２０ｃは、本考案における「環状部」および「第５環状部」に対応し、ループ部２１ｃは、本考案における「環状部」および「第６環状部」に対応する実施構成の一例である。
【００４６】
見本帳３００は、図１５および図１６に示すように、台紙１１２を台紙３１２，３１４に変えた点を除いて見本帳２００と同じ構成を有している。そして、背表紙６は、表紙２の内側面２ａと台紙３１２の第１面３１２ａとの間の距離ｚ1が、生地見本２０の厚みｔ1の２倍（２ｔ1）と生地見本２２の厚みｔ3の２倍（２ｔ3）と，の和よりも大きく、これら生地見本２０，２２のループ部２０ｃ，２２ｃが円形になった場合の外径ｄ1，ｄ3の和よりも小さくなり、また、裏表紙４の内側面４ａと台紙３１４の第２面３１４ｂとの間の距離ｚ2が、生地見本２１の厚みｔ2の２倍（２ｔ2）と生地見本２３の厚みｔ4の２倍（２ｔ4）と，の和よりも大きく、これら生地見本２１，２３のループ部２１ｃ，２３ｃが円形になった場合の外径ｄ2，ｄ4の和よりも小さくなり、さらに、台紙３１２の第２面３１２ｂと台紙３１４の第１面３１４ａとの間の距離ｚ3が、第２面３１２ｂに配置された生地見本２３の厚みｔ5の２倍（２ｔ5）と第１面３１４ａに配置された生地見本２２の厚みｔ6の２倍（２ｔ6）と，の和よりも大きく、これら生地見本２２，２３のループ部２２ｃ，２３ｃが円形になった場合の外径ｄ5，ｄ6の和よりも小さくなるような幅寸法ｗ１を有している。これにより、見本帳１が閉じた状態となっても、それぞれ対向配置された生地見本２０，２０，２０，・・・，２１，２１，２１，・・・，２２，２２，２２，・・・，２３，２３，２３，・・・のループ部２０ｃ，２０ｃ，２０ｃ，・・・，２１ｃ，２１ｃ，２１ｃ，・・・，２２ｃ，２２ｃ，２２ｃ，・・・，２３ｃ，２３ｃ，２３ｃ，・・・が互いに圧迫し合って潰れることを良好に抑制することができる。台紙３１２，３１４は、それぞれ本考案における「第１台紙」、「第２台紙」に対応し、第１面３１２ａに配置された生地見本２２は、本考案における「第３生地見本」に対応し、第２面３１４ｂに配置された生地見本２３は、本考案における「第４生地見本」に対応し、第２面３１２ｂに配置された生地見本２３は、本考案における「第７生地見本」に対応し、第１面３１４ａに配置された生地見本２２は、本考案における「第８生地見本」に対応する実施構成の一例である。また、第２面３１２ｂに配置された生地見本２３の一端部２３ａおよび他端部２３ｂは、本考案における「固定部」および「第７固定部」に対応し、第１面３１４ａに配置された生地見本２２の一端部２２ａおよび他端部２２ｂは、本考案における「固定部」および「第８固定部」に対応し、第２面３１２ｂに配置された生地見本２３のループ部２３ｃは、本考案における「環状部」および「第７環状部」に対応し、第１面３１４ａに配置された生地見本２２のループ部２２ｃは、本考案における「環状部」および「第８環状部」に対応する実施構成の一例である。
【００４７】
本実施の形態および上述した変形例では、見本帳１，１００，２００，３００を閉じた状態としたときに、各々が対向するように生地見本２０，２０，２０，・・・，２１，２１，２１，・・・２２，２２，２２，・・・，２３，２３，２３，・・・を配置したが、これに限らない。例えば、図１７に例示する変形例の見本帳４００に示すように、生地見本４２０，４２０，４２０，・・・と生地見本４２１，４２１，４２１，・・・とを互い違いに配置しても良い。
【００４８】
本実施の形態および上述した変形例では、生地見本２０，２１，２２，２３は、長手方向の一端部２０ａ，２１ａ，２２ａ，２３ａを表紙２の内側面２ａや裏表紙４の内側面４ａ、台紙１１２，３１２，３１４の第１面１１２ａ，３１２ａ，３１４ａ、第２面１１２ｂ，３１２ｂ，３１４ｂに貼り付けると共に、長手方向の他端部２０ｂ，２１ｂ，２２ｂ，２３ｂを一端部２０ａ，２１ａ，２２ａ，２３ａ側に折り曲げ、ループ状（輪状）にした状態で、当該他端部２０ｂ，２１ｂ，２２ｂ，２３ｂを一端部２０ａ，２１ａ，２２ａ，２３ａ近傍において、内側面２ａ，４ａ、第１面１１２ａ，３１２ａ，３１４ａ、および、第２面１１２ｂ，３１２ｂ，３１４ｂに貼り付けることにより、生地見本２０，２１，２２，２３をループ状としたが、これに限らない。例えば、図１８に示すように、一端部２０ａ，２１ａ，２２ａ，２３ａおよび他端部２０ｂ，２１ｂ，２２ｂ，２３ｂを重ね合わることでループ状として、一端部２０ａ，２１ａ，２２ａ，２３ａおよび他端部２０ｂ，２１ｂ，２２ｂ，２３ｂを、内側面２ａ，４ａ、第１面１１２ａ，３１２ａ，３１４ａ、および、第２面１１２ｂ，３１２ｂ，３１４ｂに貼り付ける構成としても良い。
【００４９】
本実施の形態および上述した変形例では、腹表紙８を介して中折表紙１０を裏表紙４に接続する構成としたが、腹表紙８を介して中折表紙１０を表紙２に接続する構成としても良い。
【００５０】
本実施の形態および上述した変形例では、表紙２が情報スペース５０ａを有する構成としたが、情報スペース５０ａを有さない構成でも良い。この場合、表紙２の内側面２ａ全面を生地見本スペース５０ｂとすることができる。
【００５１】
本実施形態は、本考案を実施するための形態の一例を示すものである。したがって、本考案は、本実施形態の構成に限定されるものではない。なお、本実施形態の各構成要素と本考案の各構成要素の対応関係を以下に示す。
【符号の説明】
【００５２】
１          見本帳（見本帳）
２          表紙（表紙）
２ａ        内側面（内側）
４          裏表紙（裏表紙）
４ａ        内側面（内側）
６          背表紙（背表紙）
８          腹表紙（腹表紙）
１０        中折表紙（中折表紙）
２０        生地見本（生地見本、第１生地見本、第５生地見本）
２０ａ      一端部（固定部、第１固定部、第５固定部）
２０ｂ      他端部（固定部、第１固定部、第５固定部）
２０ｃ      ループ部（環状部、第１環状部、第５環状部）
２１        生地見本（生地見本、第２生地見本、第６生地見本）
２１ａ      一端部（固定部、第２固定部、第６固定部）
２１ｂ      他端部（固定部、第２固定部、第６固定部）
２１ｃ      ループ部（環状部、第２環状部、第６環状部）
２２        生地見本（生地見本、第３生地見本、第８生地見本）
２２ａ      一端部（固定部、第３固定部、第８固定部）
２２ｂ      他端部（固定部、第３固定部、第８固定部）
２２ｃ      ループ部（環状部、第３環状部、第８環状部）
２３        生地見本（生地見本、第４生地見本、第７生地見本）
２３ａ      一端部（固定部、第４固定部、第７固定部）
２３ｂ      他端部（固定部、第４固定部、第７固定部）
２３ｃ      ループ部（環状部、第４環状部、第７環状部）
５０ａ      情報スペース
５０ｂ      生地見本スペース
１００      見本帳（見本帳）
１１２      台紙（台紙）
１１２ａ    第１面（第１面）
１１２ｂ    第２面（第２面）
２００      見本帳（見本帳）
３００      見本帳（見本帳）
３１２      台紙（台紙、第１台紙）
３１２ａ    第１面（第１面）
３１２ｂ    第２面（第２面）
３１４      台紙（台紙、第２台紙）
３１４ａ    第１面（第１面）
３１４ｂ    第２面（第２面）
４００      見本帳（見本帳）
４２０      生地見本（生地見本）
４２１      生地見本（生地見本）
ｔ1        生地見本２０の厚み
ｔ2        生地見本２１の厚み
ｔ3        生地見本２２の厚み
ｔ4        生地見本２３の厚み
ｔ5        生地見本２３の厚み
ｔ6        生地見本２２の厚み
ｄ1        ループ部２０ｃの外径
ｄ2        ループ部２１ｃの外径
ｄ3        ループ部２２ｃの外径
ｄ4        ループ部２３ｃの外径
ｄ5        ループ部２３ｃの外径
ｄ6        ループ部２２ｃの外径
ｗ1        背表紙の幅寸法（幅寸法）
ｗ2        腹表紙の幅寸法（幅寸法）
Ｌ1      中折表紙１０の表紙幅方向の長さ
Ｌ2      情報スペース５０ａの表紙幅方向の長さ
ｚ1      距離
ｚ2      距離
ｚ3      距離
【図１】
0003232103.tif 000003
【図２】
0003232103.tif 000004
【図３】
0003232103.tif 000005
【図４】
0003232103.tif 000006
【図５】
0003232103.tif 000007
【図６】
0003232103.tif 000008
【図７】
0003232103.tif 000009
【図８】
0003232103.tif 000010
【図９】
0003232103.tif 000011
【図１０】
0003232103.tif 000012
【図１１】
0003232103.tif 000013
【図１２】
0003232103.tif 000014
【図１３】
0003232103.tif 000015
【図１４】
0003232103.tif 000016
【図１５】
0003232103.tif 000017
【図１６】
0003232103.tif 000018
【図１７】
0003232103.tif 000019
【図１８】
0003232103.tif 000020